(57)【要約】【課題】  カードがカードコネクタからイジェクトされた後は、カードを容易に取り出すことができるカードコネクタを提供する。【解決手段】  カードコネクタ１は、カード１１の嵌合位置と離脱位置（図示）の間でスライド可能に保持されるスライダー５と、スライダーを常時嵌合位置に向けて付勢するコイルスプリング６と、カードの嵌合離脱を案内するカードガイド４とを有する。スライダーが、コイルスプリングの抗力に反してカードの離脱位置にスライドすることによって、カードを離脱可能な位置に移動させ、かつ、カードがカードガイドに仮保持された後、スライダーのみがカードの嵌合位置に復帰する。タブ７は、スライダーに９０度回転可能に取り付けられ、カード挿入口５ｄを開放閉鎖する。手指によって掴まれるカードの後端部の近傍に支障物が存在しないため、カードをカードコネクタから容易に取り出すことができる。【選択図】    図９
2005063849.tif 000002
【特許請求の範囲】
【請求項１】
カードと接続するカードコネクタにおいて、
前記カードコネクタは、前記カードの嵌合位置と離脱位置の間でスライド可能に保持されるスライダーと、前記スライダーを常時前記嵌合位置に向けて付勢する弾性部材と、前記カードの嵌合離脱を案内するカードガイドとを有し、
前記スライダーが、前記弾性部材の抗力に反して前記カードの前記離脱位置にスライドすることによって、前記カードを離脱可能な位置に移動させ、かつ、前記カードが前記カードガイドに仮保持された後、前記スライダーのみが前記カードの嵌合位置に復帰するように構成されることを特徴とするイジェクト機構付きカードコネクタ。
【請求項２】
前記スライダー又は前記カードガイドはカード挿入口を有し、タブは前記スライダーに回転又はスライド可能に保持され、前記タブを操作することにより、前記スライダーをスライドさせることを特徴とする請求項１記載のイジェクト機構付きカードコネクタ。
【請求項３】
前記タブは前記カード挿入口を開放閉鎖することを特徴とする請求項２記載のイジェクト機構付きカードコネクタ。
【請求項４】
前記タブが前記カード挿入口を開放した後、前記スライダーがスライドすることを特徴とする請求項３記載のイジェクト機構付きカードコネクタ。
【発明の詳細な説明】
【技術分野】
【０００１】
本発明は、スライダのスライドによって、カードのコネクタへの挿入とコネクタからの排出を行うイジェクト機構付きカードコネクタに関する。
【背景技術】
【０００２】
第１の従来の技術として、カードコネクタについて図１９を参照して説明する（例えば、特許文献１参照。）。
【０００３】
図１９（Ａ）に示されるように、メモリカードＣを装置本体Ｓに挿入する場合には、メモリカードＣをカード挿入口Ｈからガイド部２３のガイドフレーム２３ａに沿って挿入する。メモリカードＣがイジェクトフレーム２５に設けられた２箇所のイジェクトバー２７まで到達すると、操作者はカードカバー２９を支軸２６ｃを中心に反時計方向に水平状態まで回転させる。支軸２６ｃは、イジェクトフレーム２５と一体に構成されたプレート２６のブラケット２６ｂに設けられ、また、プレート２６に設けられた２つのガイド孔２６ａに、装置本体Ｓに設けられた２本のガイドピン２８が挿入されている。
【０００４】
図１９（Ｂ）に示されるように、カードカバー２９を水平状態に保持した後、操作者はカードカバー２９を矢印方向に押すことによって、メモリカードＣをメモリカードコネクタ２１のコネクタ部２２方向に押し込む。コネクタ部２２には、多数のコンタクトピン２４が設けられる。
【０００５】
図１９（Ｃ）に示されるように、カードカバー２９に設けられた爪部２９ｃが装置本体Ｓの溝部３０に係合したときに、メモリカードＣはメモリカードコネクタ２１のコネクタ部２２に接続される。図１９（Ｃ）に示される状態で、ロックレバー（図示せず）をカードカバー２９の水平部２９ａの方向にスライドさせることによって、ロックレバーの先端部がカードカバー２９に設けられた突起部（図示せず）に接触する。したがって、カードカバー２９は、図１９（Ｃ）に示される閉鎖状態に保持されるので、メモリカードＣは、メモリカードコネクタ２１から排出することを防止される。
【０００６】
メモリカードＣを装置本体Ｓから排出する場合には、上記挿入の場合とは逆の手順の操作を行う。すなわち、まず、ロックレバーの先端部をカードレバー２９の突起部から隔離させ、ロックを解除し、カードカバー２９を回転可能とする。
【０００７】
次に、操作者は、カードカバー２９の水平部２９ａの底面に手指を当接して図１９（Ｂ）における矢印方向と反対方向にスライドさせる。したがって、メモリカードＣは、イジェクトバー２７によって押されるので、メモリカードコネクタ２１のコネクタ部２２から分離する。
【０００８】
続いて、カードカバー２９を所定距離スライドさせた後、カードカバー２９を支軸２６ｃを中心に時計方向に回転させると、図１９（Ａ）に示されるように、メモリカードＣの後端が操作者の手指で摘まむことができる状態に至る。この状態で、操作者がメモリカードＣをメモリカードコネクタ２１から取り出す。
【０００９】
第２の従来の技術として、携帯可能記憶媒体のスロット構造について図２０を参照して説明する（例えば、特許文献２参照。）。
【００１０】
まず、ＩＣカード５１の電子機器の筐体４１への挿入について説明する。図２０（Ａ）に示されるように、ＩＣカード５１をトレイ４２に各ガイド部４２ａ−４２ｄに保持されるように載置し、トレイ４２に回転可能に取り付けられた蓋４３を指先によって矢印方向に押す。すると、トレイ４２は、筐体４１の収容部４１ａ内に挿入され、図２０（Ｂ）の状態に至る。このとき、蓋４３に設けられたラッチ部４３ａは、収容部４１ａ内に設けられた係止部４１ｂに係止される。
【００１１】
次に、ＩＣカード５１の筐体４１からの抜出について説明する。図２０（Ｃ）に示されるように、収容部４１ａの近傍に設けられたへこみ部４１ｃ内に指先を挿入し、ラッチ部４３ａと係止部４１ｂとの係止を解除し、蓋４３をトレイ４２に対して約９０度回転させる。続いて、図２０（Ｄ）に示されるように、蓋４３を矢印方向に引くと、トレイ４２は収容部４１ａ内から抜出される。更に、ＩＣカード５１をトレイ４２上から取り出す。
【００１２】
第３の従来の技術として、カードコネクタについて図２１と図２２を参照して説明する。
【００１３】
カードコネクタ６１のコネクタ本体６２は、インシュレータ６３と、インシュレータ６３を固定された長方形の枠状のカードガイド６４とから構成される。インシュレータ６３には、複数の接点（図示せず）が設けられている。長方形状のスライダー６５は、カードガイド６４に対してスライド可能に取り付けられる。スライダー６５の下面の前端側には、カード７１をカードコネクタ６１からイジェクトするために一対の突き当て部６５ｂ，６５ｂが、切起し形成される。スライダー６５の後端両側には、それぞれタブ支持部６５ｃが設けられる。長方形の板状のタブ６７は、シャフト６８によって両タブ支持部６５ｃに９０度回転可能に取り付けられる。
【００１４】
図２１は、カード７１がカードコネクタ６１に嵌合した状態を示し、図２２は、カード７１がカードコネクタ６１からイジェクトされた状態を示す。この状態において、手指によってカード７１の後端部を掴んで、カード７１をカード挿入口６５ｄから引き出す。
【特許文献１】特許第２８００８０１号公報（第３頁第６欄第１行−第４１行、図１，４）
【特許文献２】実開平６−３７９１４号公報（第９頁第７行−第２４行、図３，４）
【発明の開示】
【発明が解決しようとする課題】
【００１５】
前記第１ないし第３の従来の技術では、カードがカードコネクタ（又は筐体）からイジェクトされた後も、スライダー（若しくはトレイ）又はタブ（若しくはカードカバー）がカードと重なるから、手指によってカードを掴み難いので、カードをカードコネクタ（又はトレイ）から取り出すことが不便である。
【００１６】
そこで、本発明は、前記各従来の技術の欠点を改良し、カードがカードコネクタからイジェクトされた後は、カードを容易に取り出すことができるカードコネクタを提供しようとするものである
【課題を解決するための手段】
【００１７】
本発明は、前記課題を解決するため、次の手段を採用する。
【００１８】
１．カードと接続するカードコネクタにおいて、前記カードコネクタは、前記カードの嵌合位置と離脱位置の間でスライド可能に保持されるスライダーと、前記スライダーを常時前記嵌合位置に向けて付勢する弾性部材と、前記カードの嵌合離脱を案内するカードガイドとを有し、前記スライダーが、前記弾性部材の抗力に反して前記カードの前記離脱位置にスライドすることによって、前記カードを離脱可能な位置に移動させ、かつ、前記カードが前記カードガイドに仮保持された後、前記スライダーのみが前記カードの嵌合位置に復帰するように構成されるイジェクト機構付きカードコネクタ。
【００１９】
２．前記スライダー又は前記カードガイドはカード挿入口を有し、タブは前記スライダーに回転又はスライド可能に保持され、前記タブを操作することにより、前記スライダーをスライドさせる前記１記載のイジェクト機構付きカードコネクタ。
【００２０】
３．前記タブは前記カード挿入口を開放閉鎖する前記２記載のイジェクト機構付きカードコネクタ。
【００２１】
４．前記タブが前記カード挿入口を開放した後、前記スライダーがスライドする前記３記載のイジェクト機構付きカードコネクタ。
【発明の効果】
【００２２】
明細書の説明から明らかなように、本発明によれば、次の効果が、奏される。
【００２３】
１．カードがカードコネクタからイジェクトされた後は、手指によって掴まれるカードの部位の近傍に支障物が存在しないため、カードをカードコネクタから容易に取り出すことができる。
【００２４】
２．構造が簡単で、カードを取り出す操作が便利で、更に、コストが安価である。
【発明を実施するための最良の形態】
【００２５】
本発明の５つの実施例のイジェクト機構付きカードコネクタについて説明する。
【実施例１】
【００２６】
本発明の実施例１について図１〜図１２を参照して説明する。
【００２７】
カードコネクタ１の全体構成を図１の分解斜視図を参照して説明する。カードコネクタ１のコネクタ本体２は、インシュレータ３と、インシュレータ３を固定された長方形の枠状のカードガイド４とから構成される。インシュレータ３には、複数の接点（図示せず）が設けられている。長方形状のスライダー５は、カードガイド４に対してスライド可能に取り付けられる。カードガイド４の側面に形成された切起し折曲部４ａと、スライダー５の側面に形成された切起し折曲部５ａには、それぞれコイルスプリング６の各端が引っ掛けられる。また、スライダー５の下面の前端側には、カード１１（図２参照）をカードコネクタ１からイジェクトするために一対の突き当て部５ｂ，５ｂが、切起し形成される。スライダー５の後端両側には、それぞれタブ支持部５ｃが設けられ、各タブ支持部５ｃには、シャフト挿入孔５ｃ１が開けられる。長方形の板状のタブ７の長手方向に開けられた貫通孔７ａには、シャフト８が挿入され、シャフト８の両端部はそれぞれ各シャフト挿入孔５ｃ１に支持される。したがって、タブ７は、シャフト８を支点として回転することによって、スライダー５のカード挿入口５ｄの閉鎖及び開放を行うことができる。
【００２８】
カード１１のカードコネクタ１への挿入過程について図２〜図４を参照して説明する。まず、図２に示されるように、カード１１をカードコネクタ１のカード挿入口５ｄの前に用意する。次に、図３に示されるように、手指によってカード１１をカード挿入口５ｄからスライダー５とカードガイド４の間に挿入する。続いて、図４に示されるように、タブ７を約９０度右回転させてカード挿入口５ｄを閉鎖する。この状態では、カード１１とカードコネクタ１は接続し、コイルスプリング６は最もゆるんでいる。
【００２９】
カード１１のカードコネクタ１からのイジェクト過程について図５〜図８を参照して説明する。まず、図５と図８（Ａ）に示されるように、タブ７を約９０度左回転させてカード挿入口５ｄを開放する。次に、図６と図８（Ｂ）に示されるように、手指によってタブ７を掴んで引く。すると、スライダー５とカード１１は、スライドする。このとき、コイルスプリング６は、緊張する。続いて、図７と図８（Ｃ）に示されるように、手指をタブ７から離すと、スライダー５は、コイルスプリング６に引っ張られて図５と図８（Ａ）の位置まで戻る。
【００３０】
カード１１のカードコネクタ１からの取り出し過程について図９〜図１１を参照して説明する。まず、図９（Ｂ）において矢印に示されるように、手指によってカード１１を掴む。次に、図１０に示されるように、手指によってカード１１をスライダー５とカードガイド４の間から引き出す。続いて、図１１に示されるように、タブ７を約９０度右回転させてカード挿入口５ｄを閉鎖する。
【００３１】
図１２は、実施例１の一設計変更例の下方から見た斜視図である。タブ７は、カードガイド４に取り付けられ、カードガイド４の両側面の下部が折曲されて、それぞれ３箇所に仮保持用ばね４ｂが形成される。各仮保持用ばね４ｂは、カード１１の下面の両側をスライダー５（カードガイド４の上方に位置するため、図示されない。）に向かって押す。したがって、カード１１は、イジェクト状態に安定して保持され、ガタツキが生じない。
【実施例２】
【００３２】
本発明の実施例２について図１３を参照して説明する。実施例２については、実施例１と同様な点の説明を省略し、相違する点のみの説明を行う。
【００３３】
実施例１のタブ７は、長方形の板状に構成されるのに対し、実施例２のタブ７は、長方形の枠状に構成される。実施例２のタブ７の中央には、窓７ｂが開けられ、窓７ｂからカード１１の後端面を見ることができる。
【実施例３】
【００３４】
本発明の実施例３について図１４を参照して説明する。実施例３については、実施例２と同様な点の説明を省略し、相違する点のみの説明を行う。
【００３５】
実施例２のタブ７は、長方形の枠状に構成されるのに対し、実施例３のタブ７は、伸長したコ字形状に構成される。
【実施例４】
【００３６】
本発明の実施例４について図１５と図１６を参照して説明する。実施例４については、実施例１と同様な点の説明を省略し、相違する点のみの説明を行う。
【００３７】
実施例１のタブ７は、スライダー５に回転可能に取り付けられるのに対し、実施例４のタブ７は、カードガイド４の正面部４ｃに設けられた収容部４ｃ１に上下方向にスライド可能に収容される。図１５の状態において、タブ７を下方にスライドさせると、図１６の状態に至り、カード挿入口５ｄが開放される。
【実施例５】
【００３８】
本発明の実施例５について図１７と図１８を参照して説明する。実施例５については、実施例１と同様な点の説明を省略し、相違する点のみの説明を行う。
【００３９】
実施例１のタブ７は、スライダー５に回転可能に取り付けられるのに対し、実施例５のタブ７は、スライダー５の両側に設けられた断面コ字形状のタブ支持部５ｅに前後方向にスライド可能に支持される。図１７の状態において、タブ７を手前側にスライドさせると、まず、図１８の状態に至り、次に、タブ７の奥の左右両側に設けられた突出部７ｃは、各タブ支持部５ｅを手前側に押すので、スライダー５は、引き出される。
【図面の簡単な説明】
【００４０】
【図１】本発明の実施例１のカードコネクタの分解斜視図である。
【図２】同カードコネクタにカードが挿入される第１過程の斜視図である。
【図３】同第２過程の斜視図である。
【図４】同第３過程の斜視図である。
【図５】同カードコネクタから同カードがイジェクトされる第１過程の斜視図である。
【図６】同第２過程の斜視図である。
【図７】同第３過程の斜視図である。
【図８】同カードコネクタから同カードがイジェクトされる第１乃至第３過程の側面図を、順次（Ａ）〜（Ｃ）に示す。
【図９】同カードコネクタから同カードを取り出す第１過程であり、（Ａ）は斜視図、（Ｂ）は要部の側面図を、それぞれ示す。
【図１０】同第２過程の斜視図である。
【図１１】同第３過程の斜視図である。
【図１２】実施例１の一設計変更例の下方から見た斜視図である。
【図１３】本発明の実施例２のカードコネクタにカードが嵌合した状態の斜視図である。
【図１４】本発明の実施例３のカードコネクタにカードが嵌合した状態の斜視図である。
【図１５】本発明の実施例４のカードコネクタのタブがカード挿入口を閉鎖した状態の斜視図である。
【図１６】本発明の実施例４のカードコネクタのタブがカード挿入口を開放した状態の斜視図である。
【図１７】本発明の実施例５のカードコネクタのタブがスライダーに収納された状態の斜視図である。
【図１８】本発明の実施例５のカードコネクタのタブがスライダーから引き出された状態の斜視図である。
【図１９】第１の従来の技術のカードコネクタにおけるメモリカードを挿入する過程の断面図であり、順次（Ａ）〜（Ｃ）に示す。
【図２０】第２の従来の技術の携帯可能記憶媒体のスロット構造の斜視図であり、挿入過程を順次（Ａ），（Ｂ）に、抜出過程を順次（Ｃ），（Ｄ）に、それぞれ示す。
【図２１】第３の従来の技術のカードコネクタの斜視図であり、嵌合状態を示す。
【図２２】同カードコネクタの斜視図であり、イジェクト状態を示す。
【符号の説明】
【００４１】
１  カードコネクタ
２  コネクタ本体
３  インシュレータ
４  カードガイド
４ａ  切起し折曲部
４ｂ  仮保持用ばね
４ｃ  正面部
４ｃ１  収容部
５  スライダー
５ａ  切起し折曲部
５ｂ  突き当て部
５ｃ  タブ支持部
５ｃ１  シャフト挿入孔
５ｄ  カード挿入口
５ｅ  タブ支持部
６  コイルスプリング
７  タブ
７ａ  貫通孔
７ｂ  窓
７ｃ  突出部
８  シャフト
１１  カード
【図１】
2005063849.tif 000003
【図２】
2005063849.tif 000004
【図３】
2005063849.tif 000005
【図４】
2005063849.tif 000006
【図５】
2005063849.tif 000007
【図６】
2005063849.tif 000008
【図７】
2005063849.tif 000009
【図８】
2005063849.tif 000010
【図９】
2005063849.tif 000011
【図１０】
2005063849.tif 000012
【図１１】
2005063849.tif 000013
【図１２】
2005063849.tif 000014
【図１３】
2005063849.tif 000015
【図１４】
2005063849.tif 000016
【図１５】
2005063849.tif 000017
【図１６】
2005063849.tif 000018
【図１７】
2005063849.tif 000019
【図１８】
2005063849.tif 000020
【図１９】
2005063849.tif 000021
【図２０】
2005063849.tif 000022
【図２１】
2005063849.tif 000023
【図２２】
2005063849.tif 000024